(57)【要約】【課題】写真撮影と同時に、人体計測や面状把握を行い、マーケティングデータとする。【解決手段】被撮影者を撮影する撮影手段、被撮影者の身体形状を計測するための計測手段を有し、計測手段からの計測データと画像データを送信するデータ入力端末１１〜１３と、　身体形状に関するデータを要求する注文者端末１４、１５と、データ入力端末から送られたデータを受信するとともに身体形状に関するデータの要求を受信する通信手段と、計測データ又はと画像データに基づいて身体形状データを求める解析手段と、求められた身体形状データを登録し、登録された身体形状データから身体形状に関するデータ要求に対応するデータを抽出する手段とを備えたサーバー１６と、解析手段により求められた身体形状データが登録されるデータベース１７と、を有する。【選択図】　　　図１
2004052181.tif 000002
【特許請求の範囲】
【請求項１】
被撮影者を撮影する撮影手段と、該被撮影者の身体形状を計測するための計測手段とを有し、該計測手段からの計測データ又は該計測データと該撮影手段からの画像データを送信するデータ入力端末と、
身体形状に関するデータを要求する注文者端末と、
前記データ入力端末から送られた前記計測データ又は前記計測データと前記画像データを受信するとともに前記身体形状に関するデータの要求を受信する通信手段と、前記計測データ又は前記計測データと前記画像データに基づいて身体形状データを求める解析手段と、求められた該身体形状データを登録し、登録された該身体形状データから前記身体形状に関するデータ要求に対応するデータを抽出する手段とを備えたサーバーと、
前記解析手段により求められた該身体形状データが登録されるデータベースと、
を有する身体形状データ提供システム。
【請求項２】
被撮影者を撮影する撮影手段と、該被撮影者の身体形状を計測するための計測手段とを有し、該計測手段からの計測データ又は該計測データと該撮影手段からの画像データを送信するデータ入力端末と、
身体形状に関するデータを要求する注文者端末と、
前記データ入力端末から送られた前記計測データ又は前記計測データと前記画像データを受信するとともに前記身体形状に関するデータの要求を受信する通信手段と、前記計測データ又は前記計測データと前記画像データを登録し、前記身体形状に関するデータの要求に関連する登録データを抽出する手段と、抽出された該登録データから、前記身体形状に関するデータの要求に対応する身体形状データを求める解析手段と、を備えたサーバーと、
前記計測データ又は前記計測データと前記画像データが登録されるデータベースと、
を有する身体形状データ提供システム。
【請求項３】
請求項１又は２記載の身体形状データ提供システムにおいて、前記データ入力端末から送られた前記計測データ又は前記計測データと前記画像データが異常値であるか否かを検出する異常値検出手段を有する身体形状データ提供システム。
【請求項４】
請求項１又は２記載の身体形状データ提供システムにおいて、身体形状に関するデータを要求する注文者に関する情報を登録する第２のデータベースを有し、該身体形状に関するデータの要求があった場合に、前記サーバーは該第２のデータベースに登録された情報に基づいて該身体形状データの提供を決定することを特徴とする身体形状データ提供システム。
【請求項５】
データ入力端末から被撮影者の画像データと該被撮影者の身体形状を計測した計測データとを送信する第１のステップと、
サーバーで、受信した前記計測データ又は前記計測データと前記画像データに基づいて身体形状データを求め、求められた該身体形状データをデータベースに登録する第２のステップと、
注文者端末からの身体形状に関するデータ要求に基づいて、該サーバーが該データベースに登録された該身体形状データを抽出する第３のステップと、を有する身体形状データ提供方法。
【請求項６】
データ入力端末から被撮影者の画像データと該被撮影者の身体形状を計測した計測データとを送信する第１のステップと、
サーバーで、受信した前記計測データ又は前記計測データと前記画像データを登録する第２のステップと、
注文者端末からの身体形状に関するデータ要求に基づいて、該サーバーが該データベースに登録された前記計測データ又は前記計測データと前記画像データを抽出し、抽出されたデータから、該身体形状に関するデータ要求に対応する身体形状データを求める第３のステップと、を有する身体形状データ提供方法。
【請求項７】
請求項５又は６に記載の身体形状データ提供方法における前記第２及び第３のステップを記述したプログラム。
【発明の詳細な説明】
【０００１】
【発明の属する技術分野】
本発明は、身体形状データ提供システム、身体形状データ提供方法及びその方法を記述したプログラムに係わり、特にシール発行式撮影機や証明写真撮影機を使い、写真撮影と同時に身体形状を計測し、その計測データを用いて身体形状データを提供する身体形状データ提供システム、身体形状データ提供方法及びその方法を記述したプログラムに関する。
【０００２】
【従来の技術】
身体測定を目的とした特定の被験者のデータを収集する場合、専用の測定端末を用いて専門の業者がデータ収集を行っていた。なお、本発明に関連する公報としては例えば特開２００１−３２１２４号が挙げられる。
【０００３】
【発明が解決しようとする課題】
しかしながら、専用の身体測定を目的とした測定端末を使用していたため、個々の端末コストが高く、広く普及するにいたっていない。また被験者は身体測定の目的でデータを提供するため、不特定多数の統計データを得ることは困難であった。
【０００４】
【課題を解決するための手段】
本発明の身体形状データ提供システムは、被撮影者を撮影する撮影手段と、該被撮影者の身体形状を計測するための計測手段とを有し、該計測手段からの計測データ又は該計測データと該撮影手段からの画像データを送信するデータ入力端末と、
身体形状に関するデータを要求する注文者端末と、
前記データ入力端末から送られた前記計測データ又は前記計測データと前記画像データを受信するとともに前記身体形状に関するデータの要求を受信する通信手段と、前記計測データ又は前記計測データと前記画像データに基づいて身体形状データを求める解析手段と、求められた該身体形状データを登録し、登録された該身体形状データから前記身体形状に関するデータ要求に対応するデータを抽出する手段とを備えたサーバーと、
前記解析手段により求められた該身体形状データが登録されるデータベースと、
を有するものである。
【０００５】
また本発明の身体形状データ提供システムは、被撮影者を撮影する撮影手段と、該被撮影者の身体形状を計測するための計測手段とを有し、該計測手段からの計測データ又は該計測データと該撮影手段からの画像データを送信するデータ入力端末と、
身体形状に関するデータを要求する注文者端末と、
前記データ入力端末から送られた前記計測データ又は前記計測データと前記画像データを受信するとともに前記身体形状に関するデータの要求を受信する通信手段と、前記計測データ又は前記計測データと前記画像データを登録し、前記身体形状に関するデータの要求に関連する登録データを抽出する手段と、抽出された該登録データから、前記身体形状に関するデータの要求に対応する身体形状データを求める解析手段と、を備えたサーバーと、
前記計測データ又は前記計測データと前記画像データが登録されるデータベースと、
を有するものである。
【０００６】
本発明の身体形状データ提供方法は、データ入力端末から被撮影者の画像データと該被撮影者の身体形状を計測した計測データとを送信する第１のステップと、
サーバーで、受信した前記計測データ又は前記計測データと前記画像データに基づいて身体形状データを求め、求められた該身体形状データをデータベースに登録する第２のステップと、
注文者端末からの身体形状に関するデータ要求に基づいて、該サーバーが該データベースに登録された該身体形状データを抽出する第３のステップと、を有するものである。
【０００７】
また本発明の身体形状データ提供方法は、データ入力端末から被撮影者の画像データと該被撮影者の身体形状を計測した計測データとを送信する第１のステップと、
サーバーで、受信した前記計測データ又は前記計測データと前記画像データを登録する第２のステップと、
注文者端末からの身体形状に関するデータ要求に基づいて、該サーバーが該データベースに登録された前記計測データ又は前記計測データと前記画像データを抽出し、抽出されたデータから、該身体形状に関するデータ要求に対応する身体形状データを求める第３のステップと、を有するものである。
【０００８】
本発明のプログラムは上記本発明の身体形状データ提供方法における前記第２及び第３のステップを記述したものである。
【０００９】
本発明は、「プリント倶楽部」などの商品名に代表されるシール発行式撮影機や証明写真撮影機を使い、写真撮影と同時に人体計測や面状把握を行い、マーケティングデータとして二次利用するものである。
【００１０】
一次データを集計し、解析し、加工したデータの集合としたものから二次データとして二次利用する。
【００１１】
ただし、写真撮影データなどの一次データ（被写体が撮影されたデータ）が不特定の外部に出ないよう、サーバーは予め登録された注文者以外の外部からデータ要求を遮断し、データ提供は、契約された注文者操作端末を通して届いた注文内容に基づき、サーバーが加工された後の二次データを集合させたデータベースから該当する二次データを抜き出し、注文者に提供する。
【００１２】
本発明では、被撮影者が必ずしも所定の位置に撮影対象の部位や身体、顔面などを配置できない場合もありえるが、一次データに異常値が見られた場合には、そのデータを二次データ集合のデータベースに投入しないようにする。
【００１３】
また、被写体が撮影を行ったデータと二次データを比較し、偏差情報や、分類された画像の情報を提供することができる。例えば面長や丸顔などに分類して提供することができる。
【００１４】
【発明の実施の形態】
以下、本発明の実施の形態について図面を用いて詳細に説明する。
【００１５】
図１は本発明の身体形状データ提供システムを示すブロック図である。
【００１６】
図１に示すように、撮影・計測端末１１〜１３はそれぞれ被撮影者の身体形状を計測した計測データと被撮影者を撮影した画像データとをインターネット等の通信回線（ネットワーク）を介してデータ解析・管理サーバー１６へ送信する。注文者操作端末１４，１５は注文者が求める身体形状に関するデータ、例えば注文者がメガネ製造業者であれば、耳間の平均的距離や分散、目間の平均的距離や分散，鼻の平均高さや平均的位置に関するデータの注文をインターネット等の通信回線（ネットワーク）を介してデータ解析・管理サーバー１６へ送信する。注文者としては、メガネ、化粧品、帽子、衣服、ウェアラブルコンピュータ、鞄等の商品の使用やデザインを行う製造業者、設計業者、販売者等が挙げられる。また行政統計資料の提供者や顔立ちの種類分類による紹介プログラム作成者、漫画家、似顔絵作成ソフト作成者等も挙げられる。
【００１７】
データ解析・管理サーバー１６は撮影・計測端末１１〜１３から送信された計測データと画像データに基づいて、被撮影者の身体形状を解析し、その解析データをデータベース１７に登録する。被撮影者の身体形状の解析は、注文者が求める身体形状に関するデータ注文の内容について行う。例えば、注文者がメガネ製造業者であれば、顔の大きさ、目，鼻，耳の位置や形状に関するデータを得るべく解析を行う。なお、計測データと画像データをそのまま、または汎用性の高いデータ解析のみを行ってデータベースに登録しておき、注文者のデータ注文内容に基づいて解析を行っても良い。
【００１８】
注文者からデータの注文に応じた解析データはデータ解析・管理サーバー１６からインターネット等の通信回線（ネットワーク）を介して注文者操作端末１４，１５へ送信される。データ解析・管理サーバー１６には身体形状に関するデータを要求する注文者に関する情報（ＩＤ番号、注文者名等）を登録するデータベース１８が接続され、身体形状に関するデータの要求があった場合に、データ解析・管理サーバー１６はデータベース１８に登録された情報に基づいて該身体形状データの提供を決定する。なお、ＩＤ番号等とともに注文者の身体形状に関するデータの内容を予めデータベース１８に登録しておき、ＩＤ番号の入力だけで要求するデータを注文者操作端末１４，１５に送信することも可能である。また注文者操作端末が常時ネットワークに接続されている場合には、予めデータベース１８に登録された注文者の身体形状に関するデータの内容に基づき、随時データ要求を受けることなく定期的に要求するデータを送信することも可能である。この場合にはデータ要求は１回で足りることになる。
【００１９】
図２は本発明のシステムに用いる撮影・計測端末の構成を示すブロック図である。
【００２０】
ＣＣＤ等の撮影手段２１は被撮影者からの画像データを出力し、この画像データをメモリ２４に記憶させる。計測手段２２は赤外線発光素子から放出された光が被写体を反射して赤外線受光素子に入光する時間を検出して被写体の凹凸を計測し、計測データとして出力し、この計測データをメモリ２４に記憶させる。画像データと計測データとは通信手段２５によりインターネット等の通信回線（ネットワーク）を介してデータ解析・管理サーバー１６へ送信される。２６は各部に制御信号を送り各部を制御する制御部である。画像データは写真として出力手段２３によりプリントアウトされる。また出力手段２３は通信手段２５により順された解析データをプリントアウトする。
【００２１】
図３は上記撮影・計測端末の具体的な構成例を示す図である。ここでいわゆる「プリクラ」と呼ばれる機器を上記撮影・計測端末として用いたものである。
【００２２】
撮影・計測端末３０（図１の撮影・計測端末１１〜１３に対応する。）は、被撮影者３６をＣＣＤカメラ等の撮影機３１（図２の撮影手段２１に対応する）により撮影し、赤外線発光素子と赤外線受光素子からなる計測機３２ａ，３２ｂにより身体形状を計測する。「プリクラ」は一般的には顔を主体とする被撮影者の正面の上半身を写すものであるが、帽子や衣服等を作成する場合のデータとしては被撮影者の側面を写すことが求められるので、この場合には、被撮影者の側面部にＣＣＤカメラ等の撮影機や計測機を配置したり、表示部３３で被撮影者に横向きになることを指示することで実現する。
【００２３】
撮影機３１により写し出された画像は表示部３３に表示され、画像の加工や選択を操作部３４で操作する。撮影機２１により写された画像は写真として取り出し部３５から取り出される。なお、撮影・計測端末としては「プリクラ」の他に例えば、証明写真撮影機を用いることも可能である。
【００２４】
図４はデータ解析・管理サーバー１６の構成を示すブロック図である。
【００２５】
撮影・計測端末から送信されたデータは通信手段４１で受信され、特徴抽出部４２で画像の特徴部分の抽出を行う。例えば、被撮影者の顔部分のデータを抽出する場合には顔の輪郭や顔面の凹凸から目，鼻，耳，口等の位置を、画像データと計測データから特定してメモリ４３に記憶する。次に異常値検出部４４は基準データ記録部４５に記録された基準データとメモリ４３に記憶されたデータとを比較してデータの異常を検出し、異常があれば異常値として削除する。例えば、被撮影者が指定された位置に撮影対象の部位（顔面等）を配置せず、被撮影者がやや横向きに写ったり、計測手段が誤認して測定を行ったりして、目，鼻，耳，口等の位置が基準データと比べて大きくずれている場合が挙げられる。
【００２６】
異常値が排除されたデータの集計解析を解析部４６で行う。例えば、顔の幅や長さの平均値、耳，目，鼻，口等の平均的位置や分散等を集計解析する。解析されたデータは情報管理部４７によりデータベース１７に登録される。
【００２７】
通信手段４１は、注文者が求める身体形状に関するデータ、例えば注文者がメガネ製造業者であれば、耳間の平均的距離や分散、目間の平均的距離や分散，鼻の平均高さや平均的位置に関するデータの注文を受け、情報管理手段４７はデータベース１７に登録されたデータをそのまま、さらに解析が必要な場合には解析部４６で解析を行った後に通信手段４１を介して解析されたデータを、通信手段４１を介して注文者操作端末１４，１５に送信する。注文者にファクシミリで送信、又は郵送で発送することも可能である。なお、データベース１７に異常値が排除されたデータをそのままデータベース１７に登録し、注文者が求める身体形状に関するデータに基づいて解析部４６で解析して、その解析データを注文者操作端末１４，１５に送信等してもよい。
【００２８】
以上説明した身体形状データ提供システムは、例えば、ゲームセンターや遊園地に置かれたプリクラ、駅等に置かれた証明写真撮影機等からなる撮影・計測端末、メガネ，化粧品，帽子，衣服，ウェアラブルコンピュータ，鞄等の商品の使用やデザインを行う製造業者、設計業者、販売者等が所有する注文者端末、インターネットを管理するプロバイダーやデータ管理会社等が所有するデータ解析・管理サーバー，データベースにより構成することができる。また、注文者である、例えばメガネ業者がその店舗において、プリクラ等の撮影・計測端末を置き、身体形状データを取得することも可能である。この場合、身体形状データ取得の対価としてプリクラを無料とするサービスを行い、データ取得を促すことができる。なお、撮影・計測モードと注文者モードとの切り替えを可能とすることにより、撮影・計測端末を注文者端末として用いる（データ入力端末と注文者端末とを兼用する）ことも可能である。
【００２９】
以下、本発明による身体形状データ提供の手順について図面を用いて説明する。
（１）まず被撮影者は、撮影端末の案内にしたがってデータの収集および二次加工に同意かどうかを入力する。また、年齢、性別などの属性情報を入力可能とする。なお、撮影後に同意を確認してもよい。図５に同意の可否を尋ねるときの表示画面の例を示す。必要に応じて解析データを被撮影者に提供する。このときの選択表示画面を図６に示す。
（２）次に被撮影者は、撮影端末の指示に従って、ＣＣＤカメラに向かい、顔写真または全身写真を撮影し、同時に赤外線発光素子と赤外線受光素子からなる計測機を用いて計測データを測定し、一次データ（画像データ及び計測データ）を作成する。
（３）データ解析・管理サーバーは、図７に示すように、被撮影者がデータ収集に同意の場合、（２）で撮影されたデータを二次データとして、撮影・計測端末からデータを受け取る（ステップＳ１１）。
（４）データ解析・管理サーバーは、取得した二次データの特徴点を抽出し（例えば、被撮影者の顔部分のデータを抽出する場合には顔の輪郭や顔面の凹凸から目，鼻，耳，口等の位置を、画像データと計測データから特定する）（ステップＳ１２）、特徴点が抽出できない場合には再度のデータ入力を撮影・計測端末に指示する（ステップＳ１３）。特徴点が抽出できた場合は、そのデータを基準データと比較して異常値であるか否かの判断を行い（ステップＳ１４）異常値であればそのデータを削除し（データ登録を行わず）処理を終了する。異常値でなければ、データを解析加工し（ステップＳ１５）、加工したデータを二次加工データとして、データベースに登録を行う（ステップＳ１６）。このように、データが異常値を判断された場合は、そのデータは二次加工の対象から削除されるので、精度の高いデータを得ることができる。撮影端末から取得した一次データは、不特定の外部に流出しないように、外部からのデータアクセスを遮断するように管理され、また二次加工データも特定の契約を行った注文者以外は外部からのデータアクセスを遮断するように管理される。
（５）予め、二次加工データを必要とする注文者（以降、組織Ａという。）をＩＤ番号等をデータベース１８に登録しておく等で識別し、その組織Ａは注文者操作端末を用いて、二次データ集合のデータベースから必要な要素を指定し、二次加工データを注文する。
（６）データ解析・管理サーバーでは、図８に示すように、注文を受信すると（ステップＳ２１）、契約登録した契約者からの注文かどうかを確認する（ステップＳ２２）。例えば契約者（組織Ａ）にＩＤ番号を付与し、注文時にそのＩＤ番号が入力されたときに契約者と判断する。契約者の注文であると確認されると、データベース１７にその注文内容のデータが記録されているか否かを判断する（ステップＳ２３）。注文内容のデータが記録されていれば、受信した注文内容に基づき、データベースから該当する二次データを抜き出し（ステップＳ２４）、注文者操作端末の組織Ａへ送信する（ステップＳ２５）。注文内容のデータが記録されていなければ、データベースから該当する二次データを抜き出し（ステップＳ２６）、そのデータに基づいてデータ解析を行い（ステップＳ２７）、解析されたデータを注文者操作端末の組織Ａへ送信する（ステップＳ２５）。
（７）また、データ解析・管理サーバーでは、図６に示すような表示画面で被撮影者が解析データを求めた場合には、被撮影者が撮影したデータと加工後の二次データを集合させたデータベースを比較し、偏差値や類似度などの結果を図３に示した撮影端末の取り出し部３５から被撮影者へ提供する。
【００３０】
以上説明したデータ解析・管理サーバーとデータベースは、図９に示すようなコンピュータで構成することができる。図１の端末１１〜１３から入力された情報はＤＲＡＭ等のメモリ１２３又はＭＯ、ハードディスク等のディスク装置１２４等の記憶手段に記憶される。ＣＰＵ１２６は前述した図７や図８のフローを記述したプログラム（ここではディスク装置１２４にプログラムが保存されている。）に基づいて、処理を行う。キーボード１２１はデータを入力する入力手段、ＣＲＴ１２２は解析内容等を示す表示手段となる。１２５はデータバス等のバス、１２７は注文者操作端末やデータ入力端末と通信を行うためのモデムを示す。
【００３１】
【発明の効果】
以上説明したように、本発明によれば、以下の効果を得ることができる。
（１）プリント倶楽部（プリクラ）などの商品名に代表されるシール発行式撮影機や従来型の証明写真撮影機などをデータ入力端末として利用することにより、不特定多数のデータを収集することができる。
（２）写真撮影と同時に、人体計測や面状把握を行い、マーケティングデータとして二次利用することができる。
（３）写真撮影データなどの一次データ（被写体が撮影されたデータ）が不特定の外部に出ないよう、技術的（提供管理）手段にて外部からのデータ要求を遮断するため、プライバシーを保護することができる。
（４）外部へのデータは、発注内容に基づき、加工された後の二次データを集合させたデータベースから該当する二次データを抜き出し、発注者に提供することができる。
（５）一次データに異常値が見られた場合、そのデータを二次データの集合データベースに投入しないように削除することができ、二次データの品質が悪化することを防ぐことができる。
（６）被撮影者へ撮影されたデータと二次加工データを比較し、平均値との差異や似ている画像の情報を提供する。例えば、人相占い等を行うことができる。
【図面の簡単な説明】
【図１】本発明の身体形状データ提供システムを示すブロック図である。
【図２】本発明のシステムに用いる撮影・計測端末の構成を示すブロック図である。
【図３】上記撮影・計測端末の具体的な構成例を示す図である。
【図４】データ解析・管理サーバーの構成を示すブロック図である。
【図５】同意の可否を尋ねるときの表示画面の例を示す図である。
【図６】解析データを被撮影者に提供するか否かの選択表示画面を示す図である。
【図７】本発明による身体形状データ提供の手順を示すフローチャートである。
【図８】本発明による身体形状データ提供の手順を示すフローチャートである。
【図９】データ解析・管理サーバーとデータベースの構成例を示すブロック図である。
【符号の説明】
１１〜１３　撮影・計測端末
１４，１５　注文者操作端末
１６　データ解析・管理サーバー
１７，１８　データベース
【図１】
2004052181.tif 000003
【図２】
2004052181.tif 000004
【図３】
2004052181.tif 000005
【図４】
2004052181.tif 000006
【図５】
2004052181.tif 000007
【図６】
2004052181.tif 000008
【図７】
2004052181.tif 000009
【図８】
2004052181.tif 000010
【図９】
2004052181.tif 000011